【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
部分反射性表面もしくはサーモリフレクティブ表面からのグレアを、反射によるエネルギー上の効果を実質的に減退させることなく、軽減するか、または、透過性表面、半透過性表面もしくは部分反射性表面のプライバシ（遮蔽性）を向上させる方法であって、
部分的に反射性を有する部分反射性表面、温度によって反射特性が変化するサーモリフレクティブ表面、透過性表面または半透過性表面と外部光源との間に、少なくとも部分的に拡散性を有する拡散フィルタを配置する工程を含み、
それにより、前記部分反射性表面、前記サーモリフレクティブ表面、前記透過性表面または前記半透過性表面を透過する透過光は、１回のみ、拡散させられ、
前記部分反射性表面、前記サーモリフレクティブ表面、前記透過性表面または前記半透過性表面から反射する反射光は、２回、拡散させられ、それにより、前記部分反射性表面または前記サーモリフレクティブ表面からの鏡面反射光を拡散反射光に変換するか、または、前記透過性表面または前記半透過性表面からの前記反射光を、前記透過光の約２倍の強さで拡散させる方法。
【請求項２】
請求項１に記載の方法であって、
前記少なくとも部分的に拡散性を有する拡散フィルタが、
（ａ)  拡散特性が可変である可変拡散フィルタを含み、それにより、前記部分反射性表面または前記サーモリフレクティブ表面を透過する光および反射する光が、外部変数の第１条件のもとでは強く拡散させられ、前記外部変数の第２条件のもとでは拡散させられないかもしくは弱く拡散させられるものであるか、
(ｂ)  温度によって拡散特性が変化するサーモデフューシブ・フィルタを含み、そのサーモデフューシブ・フィルタは、第１温度範囲内においてはほぼ完全に透過性を示し、第２温度範囲内においてはほぼ完全に拡散性を示すものであるか、
(ｃ)  拡散特性が選択的である選択的拡散フィルタを含み、それにより、所定の極性または波長を有する光が、前記部分反射性表面、前記サーモリフレクティブ表面、前記透過性表面、または前記半透過性表面から拡散光として反射する一方、他の極性または波長を有する光が、前記選択的拡散フィルタを実質的な平行光または非拡散光として透過するものであるか、または
（ｄ）  拡散特性が非対称的である非対称拡散フィルタを含み、それにより、第１方向または第１方向範囲から入射する光が、第２方向または第２方向範囲から入射する光より強く拡散させられ、さらに、前記透過性表面または前記半透過性表面については、前記第１方向または第１方向範囲からの視界(view)が、前記第２方向または第２方向範囲からの視界(view)より実質的に不鮮明であるものであることと、
前記少なくとも部分的に拡散性を有する拡散フィルタが、温度によって色が変化するサーモクロミック(thermochoromic)分布ブラック・リフレクタ・デバイスを有することと、
前記少なくとも部分的に拡散性を有する拡散フィルタが、ポラライジング型サーモクロミック(thermochoromic)分布ブラック・リフレクタ・デバイスを有することと
のうちの少なくとも一つを採用している方法。
【請求項３】
請求項２に記載の方法であって、
前記外部変数は、環境温度と電界とのうちの少なくとも一つを含む方法。
【請求項４】
請求項２に記載の方法であって、
前記少なくとも部分的に拡散性を有する拡散フィルタは、前記非対称拡散フィルタを含み、
前記部分反射性表面または前記サーモリフレクティブ表面から反射する光は、前記部分反射性表面または前記サーモリフレクティブ表面を透過する光より実質的に強く拡散させられる方法。
【請求項５】
請求項２に記載の方法であって、
前記少なくとも部分的に拡散性を有する拡散フィルタは、前記非対称拡散フィルタを含み、
前記非対称拡散フィルタは、不規則的構成を有するメタ材料を組み込んでいる方法。
【請求項６】
請求項１に記載の方法であって、
前記透過性表面、前記半透過性表面および前記部分反射性表面のうちのいずれかは、窓ユニットを含み、
それにより、外部観察者によって観察される反射光は、実質的な拡散光であるが、内部観察者によって観察される透過光は、実質的な平行光または非拡散光であり、それにより、内部のプライバシ（遮蔽性）を向上させる方法。
【請求項７】
入射した光が反射した光または入射した放射エネルギーが反射した放射エネルギーからのグレアを軽減する省エネルギー型デバイスであって、
第１の反射型ポラライザと、
第２の反射型ポラライザと、
前記第１の反射型ポラライザと前記第２の反射型ポラライザとの間に配置され、入射しした光の偏光状態または放射エネルギーの偏波状態を変化させるデポラライザと、
前記第２の反射型ポラライザに装着された透過性基板と、
前記第１の反射型ポラライザに装着された、少なくとも部分的に拡散性を有する拡散フィルタと
を含む省エネルギー型デバイス。
【請求項８】
請求項７に記載の省エネルギー型デバイスであって、
前記デポラライザは、温度によって色が変化するサーモクロミック(thermochoromic)・デポラライザ、または、電気によって色が変化するエレクトロクロミック(electroochoromic)・デポラライザである省エネルギー型デバイス。
【請求項９】
請求項７に記載の省エネルギー型デバイスであって、
前記少なくとも部分的に拡散性を有する拡散フィルタは、
（ａ）  拡散特性が可変である可変拡散フィルタであり、その可変拡散フィルタは、少なくとも一つの外部条件によって制御可能な光分散化能力を有するものであるか、
（ｂ）  拡散特性が選択的である選択的拡散フィルタであり、その選択的拡散フィルタは、所定の極性または所定の波長を有する光のみを拡散させるものであるか、または、
（ｃ）  拡散特性が非対称的である非対称拡散フィルタであり、その非対称拡散フィルタは、当該デバイスを第１方向に透過する光を、当該デバイスを第２方向に透過する光より強く拡散させるものである省エネルギー型デバイス。
【請求項１０】
請求項９に記載の省エネルギー型デバイスであって、
前記少なくとも一つの外部条件は、温度および／または印加された電界を含む省エネルギー型デバイス。
【請求項１１】
請求項９に記載の省エネルギー型デバイスであって、
前記少なくとも部分的に拡散性を有する拡散フィルタは、前記可変拡散フィルタを含み、
その可変拡散フィルタは、温度によって拡散特性が変化するサーモデフューシブ・フィルタを含み、
そのサーモデフューシブ・フィルタは、第１温度範囲内においてはほぼ完全に透過性を示し、第２温度範囲内においてはほぼ完全に拡散性を示す省エネルギー型デバイス。
【請求項１２】
請求項１１に記載の省エネルギー型デバイスであって、
前記サーモデフューシブ・フィルタは、
第１の透過性材料と、
第２の透過性材料より成る複数のビーズまたはバブルと
を含み、
第１の温度範囲内においては、前記第１の透過性材料の屈折率が、前記第２の透過性材料の屈折率と実質的に同一であり、
第２の温度範囲内においては、前記第１の透過性材料の屈折率と前記第２の透過性材料の屈折率とのうちの少なくとも一方が、前記第１の透過性材料の屈折率と前記第２の透過性材料の屈折率とが実質的に互いに不一致となるように、変化する省エネルギー型デバイス。
【請求項１３】
請求項１２に記載の省エネルギー型デバイスであって、
前記第１の透過性材料および前記第２の透過性材料は、前記サーモデフューシブ・フィルタがサーモクロミック(thermochoromic)拡散型ブラッグ・リフレクタとして機能するように選択される省エネルギー型デバイス。
【請求項１４】
請求項７に記載の省エネルギー型デバイスであって、
前記第１の反射型ポラライザは、第１の拡散反射型ポラライザであり、それにより、前記第１の反射型ポラライザが、前記少なくとも部分的に拡散性を有する拡散フィルタを兼ねており、
前記第２の反射型ポラライザは、第２の拡散反射型ポラライザである省エネルギー型デバイス。
【請求項１５】
請求項１４に記載の省エネルギー型デバイスであって、
前記第１の拡散反射型ポラライザおよび前記第２の拡散反射型ポラライザの各々が、コレステリック(cholesteric)液晶型円偏光ポラライザもしくは再帰反射型ポラライザを含むか、または、
前記第１の拡散反射型ポラライザと前記第２の拡散反射型ポラライザとのうちの少なくとも一方が、カイラル(chiral)・ワイヤ・グリッド・ポラライザを含む省エネルギー型デバイス。
【請求項１６】
拡散型ポラライジング・フィルタであって、
等間隔(regular spacing)で互いに平行に並んだ複数の凹凸表面(irregular surfaces)を有する複数本のワイヤから成るグリッドを含み、
前記凹凸表面の表面凹凸高さ(surface irregularities)は、当該拡散型ポラライジング・フィルタへの入射光の波長より大きく、
それにより、前記入射光に対する、当該拡散型ポラライジング・フィルタから反射光であって第１の極性を有するものは拡散光である一方、前記入射光に対する、当該拡散型ポラライザから透過光であって第２の極性を有するものは平行光である拡散型ポラライジング・フィルタ。
【請求項１７】
請求項１６に記載の拡散型ポラライジング・フィルタであって、
前記グリッドにおける前記複数本のワイヤの各々は、微視的な複数のギャップを形成するように、分断されている拡散型ポラライジング・フィルタ。
【請求項１８】
拡散型ポラライジング・フィルタであって、
非平面基板と、
その非平面基板上に配置された、複数本のワイヤから成るグリッドと
を含み、
入射光に対する、当該拡散型ポラライジング・フィルタからの反射光は、前記入射光の入射角と、前記入射角の出射角との間における相互依存性を示し、その相互依存性は、前記非平面基板上に前記入射光が入射する点の位置(contact location)に応じて変化する拡散型ポラライジング・フィルタ。
【請求項１９】
請求項１８に記載の拡散型ポラライジング・フィルタであって、
前記非平面基板の表面高さの変動は、少なくとも１本の対称軸に沿って規則的であるかまたは不規則的である拡散型ポラライジング・フィルタ。
【請求項２０】
請求項１８に記載の拡散型ポラライジング・フィルタであって、
前記グリッドにおける前記複数本のワイヤが、等間隔で互いに平行に並んでいることと、
前記複数本のワイヤが、カイラル(chiral)構造を形成することと、
前記グリッドにおける前記複数本のワイヤの各々が、微視的な複数のギャップを形成するように、分断されていることと
のうちの少なくとも一つを採用している拡散型ポラライジング・フィルタ。
【請求項２１】
グレア軽減型ポラライジング・フィルタであって、
複数本のメタ材料製ワイヤから成るグリッドを含み、
前記複数本のメタ材料製ワイヤは、カイラル(chiral)構造を形成し、
前記グリッドは、第１方向に透過する光に対し、前記第１方向とは反対向きの第２方向に透過する光に対してより強い拡散性を有し、
前記グリッドは、平行光を前記第２方向に透過させるグレア軽減型ポラライジング・フィルタ。
【請求項２２】
請求項２１に記載のグレア軽減型ポラライジング・フィルタであって、
前記グリッドは、前記複数本のワイヤが不規則に配列されたものとして形成されているグレア軽減型ポラライジング・フィルタ。
【請求項２３】
請求項２１に記載のグレア軽減型ポラライジング・フィルタであって、さらに、
温度によって入射光の偏光を変化させるサーモトロピック(thermochoromic)・デポラライザ・フィルムであって、前記複数本のメタ材料製ワイヤから成る前記グリッドを支持するものと、
そのサーモトロピック(thermochoromic)・デポラライザ・フィルムの、前記グリッドを支持する側とは別の側に支持された鏡面反射器と
を含むグレア軽減型ポラライジング・フィルタ。
【請求項２４】
液晶によって構成されるとともに、温度によって光学特性が変化するサーモトロピック(thermotropic)、温度によって色が変化するサーモクロミック(thermochoromic)または温度によって反射特性が変化するサーモリフレクティブであるフィルタまたはデバイスが低グレアでの用途に適合する度合いを向上させる方法であって、
所定の気候に適合する凝固点およびクリアリング・ポイントを有する複数の液晶の混合物またはそれら液晶を含む混合物を選択する混合物選択工程と、
前記複数の液晶の、複数の物理的状態間における転移の性質を変化させる添加剤を選択する添加剤選択工程と、
前記フィルタまたはデバイスによる光またはエネルギーの透過、吸収および／または反射の光学的特性を調整または選択するために前記混合物と前記添加剤とを混合させる混合工程と
を含む方法。
【請求項２５】
請求項２４に記載の方法であって、
前記混合物選択工程および／または前記添加剤選択工程は、環境条件に対する前記フィルタまたはデバイスの機能の応答特性の安定度を向上させるように実施される方法。
【請求項２６】
請求項２４に記載の方法であって、
前記添加剤が、カイラル(chiral)液晶を含むことと、
前記添加剤が、自己組織化材料を含み、その自己組織化材料は、温度しきい値より高温であるときに、整列された配向を想定され、前記温度しきい値より低温であるときに、整列されない配向を想定されることと、
前記添加剤が、前記混合物内において懸濁していることと、
前記添加剤が、前記混合物内において溶解していることと、
前記添加剤が、温度しきい値より高温であるときに、前記混合物内において浮遊しており、その浮遊している添加剤は、前記温度しきい値より低温であるときに、前記混合物の上面に浮上しているかまたは前記混合物の底部に沈下していることと、
前記添加剤が、温度しきい値より高温であるときに、前記混合物内において浮遊している浮遊体に付着しており、その浮遊体は、前記温度しきい値より低温であるときに、前記混合物の上面に浮上しているかまたは前記混合物の底部に沈下していることと
のうちの少なくとも一つを採用している方法。
【請求項２７】
請求項２６に記載の方法であって、
前記自己組織化材料は、反射性染料と、反射性繊維と、屈折性繊維と、ワイヤ・セグメントと、マクロ分子と、微視的シート片とのうちの少なくとも一つを含む方法。
【請求項２８】
サーモトロピック(thermochoromic)分布ブラッグ・リフレクタ・デバイスであって、
透過性または半透過性を有するとともに、第１屈折率を有する第１材料から成る２以上の第１材料層と、
温度によって光学特性が変化するサーモトロピック(thermochoromic)であり、かつ、透過性または半透過性を有するとともに、可変である第２屈折率を有する第２材料から成る２以上の第２材料層と
を含み、
前記２以上の第２材料層の各々は、前記２以上の第１材料層の各々と交互に配置されており、
温度しきい値より低温であるときに、前記第１屈折率は、前記第２屈折率と実質的に同一であり、
前記温度しきい値より高温であるときに、前記第２屈折率は、前記第１屈折率とは実質的に異なるように変化するサーモトロピック分布ブラッグ・リフレクタ・デバイス。  
【請求項２９】
請求項２８に記載のサーモトロピック分布ブラッグ・リフレクタ・デバイスであって、
前記第２材料が、前記温度しきい値より高温であるときに、物理的に伸張し、それにより、前記第２屈折率を変化させることと、
前記第２材料が、温度によって色が変化するサーモクロミック材料または偏光サーモクロミック材料であることと、
前記第２材料が、ポリマ分散型液晶と、ポリマ安定化液晶と、コレステリック液晶と、ダイクロイック液晶と、ゲスト・ホスト(Guest-Host)液晶と、ハイルマイヤ(Heilmeier)・ディスプレイと、反射性サーモクロミック（温度によって色が変化する）液晶とのうちの少なくとも一つを含み、かつ、当該デバイスが、鏡面反射と拡散とのうちの少なくとも一方を行うことと
の少なくとも一つを採用しているサーモトロピック分布ブラッグ・リフレクタ・デバイス。
【請求項３０】
請求項２９に記載のサーモトロピック分布ブラッグ・リフレクタ・デバイスであって、
前記第２材料は、前記サーモクロミック材料または前記偏光サーモクロミック材料であり、
前記第１材料および前記第２材料は、当該デバイスが赤外波長について実質的に反射性を有するように選択されるサーモトロピック分布ブラッグ・リフレクタ・デバイス。
【請求項３１】
第１方向においては、温度によって反射特性が変化するサーモリフレクティブ効果を実現し、第２方向においては、温度によって吸収特性が変化するサーモアブソープティブ効果を実現する方法であって、
吸収型ポラライザ・フィルムの層と、反射型ポラライザ・フィルムの層とを交互に配置する配置工程と、
温度によって入射光の偏光を変化させるサーモトロピック・デポラライザを、前記吸収型ポラライザ・フィルムの層と前記反射型ポラライザ・フィルムの層とから成る第１セットと、前記吸収型ポラライザ・フィルムの層と前記反射型ポラライザ・フィルムの層とから成る第２セットとの間に挿入する挿入工程と
を含む方法。
【手続補正２】
【補正対象書類名】明細書
【補正対象項目名】００３０
【補正方法】変更
【補正の内容】
【００３０】
本発明によって下記の各態様が得られる。
（１）  部分反射性表面またはサーモリフレクティブ表面からのグレアを、反射によるエネルギー上の効果を実質的に減退させることなく、軽減する方法であって、
部分的に反射性を有する部分反射性表面または温度によって反射特性が変化するサーモリフレクティブ表面と外部光源との間に、少なくとも部分的に拡散性を有する拡散フィルタを配置する工程を含み、
それにより、前記部分反射性表面または前記サーモリフレクティブ表面を透過する光は、１回のみ、拡散させられ、
前記部分反射性表面または前記サーモリフレクティブ表面から反射する光は、２回、拡散させられ、それにより、前記部分反射性表面または前記サーモリフレクティブ表面からの鏡面反射光を拡散反射光に変換する方法。
（２）  （１）項に記載の方法であって、
前記少なくとも部分的に拡散性を有する拡散フィルタは、拡散特性が可変である可変拡散フィルタを含み、
それにより、前記部分反射性表面または前記サーモリフレクティブ表面を透過する光および反射する光は、外部変数の第１条件のもとでは強く拡散させられ、前記外部変数の第２条件のもとでは拡散させられないかまたは弱く拡散させられる方法。
（３）  （２）項に記載の方法であって、
前記外部変数は、環境温度と電界とのうちの少なくとも一つを含む方法。
（４）  （２）項に記載の方法であって、
前記可変拡散フィルタは、温度によって拡散特性が変化するサーモデフューシブ・フィルタを含み、そのサーモデフューシブ・フィルタは、第１温度範囲内においてはほぼ完全に透過性を示し、第２温度範囲内においてはほぼ完全に拡散性を示す方法。
（５）  （１）項に記載の方法であって、
前記少なくとも部分的に拡散性を有する拡散フィルタは、拡散特性が選択的である選択的拡散フィルタを含み、
それにより、所定の極性または波長を有する光が、前記部分反射性表面または前記サーモリフレクティブ表面から拡散光として反射する一方、他の極性または波長を有する光が、前記選択的拡散フィルタを実質的な平行光または非拡散光として透過する方法。
（６）  （５）項に記載の方法であって、
前記少なくとも部分的に拡散性を有する拡散フィルタは、拡散特性が非対称的である非対称拡散フィルタを含み、
それにより、第１方向または第１方向範囲から入射する光が、第２方向または第２方向範囲から入射する光より強く拡散させられる方法。
（７）  （６）項に記載の方法であって、
前記部分反射性表面または前記サーモリフレクティブ表面から反射する光は、前記部分反射性表面または前記サーモリフレクティブ表面を透過する光より実質的に強く拡散させられる方法。
（８）  （６）項に記載の方法であって、
前記非対称拡散フィルタは、不規則的構成を有するメタ材料を組み込んでいる方法。
（９）  （１）項に記載の方法であって、
前記少なくとも部分的に拡散性を有する拡散フィルタは、温度によって色が変化するサーモクロミック(thermochoromic)分布ブラック・リフレクタ・デバイスを含む方法。
（１０）  （１）項に記載の方法であって、
前記少なくとも部分的に拡散性を有する拡散フィルタは、偏光サーモクロミック(thermochoromic)分布ブラック・リフレクタ・デバイスを含む方法。
（１１）  透過性表面、半透過性表面または部分的に反射性を有する部分反射性表面のプライバシ（遮蔽性）を向上させる方法であって、
透過性表面、半透過性表面または部分反射性表面と外部光源との間に、少なくとも部分的に拡散性を有する拡散フィルタを配置する工程を含み、
それにより、前記透過性表面、前記半透過性表面または前記部分反射性表面を透過する透過光は、１回のみ、拡散させられ、
前記透過性表面、前記半透過性表面または前記部分反射性表面から反射する反射光は、２回、拡散させられ、それにより、前記反射光が、前記透過光の約２倍の強さで拡散させられる方法。
（１２）  （１１）項に記載の方法であって、
前記少なくとも部分的に拡散性を有する拡散フィルタは、拡散特性が可変である可変拡散フィルタを含み、
それにより、前記透過性表面、前記半透過性表面または前記部分反射性表面を透過する光および反射する光は、外部変数の第１条件のもとでは強く拡散させられ、前記外部変数の第２条件のもとでは拡散させられないかまたは弱く拡散させられる方法。
（１３）  （１２）項に記載の方法であって、
前記外部変数は、環境温度と電界とのうちの少なくとも一つを含む方法。
（１４）  （１２）項に記載の方法であって、
前記可変拡散フィルタは、温度によって拡散特性が変化するサーモデフューシブ・フィルタを含み、そのサーモデフューシブ・フィルタは、第１温度範囲内においてはほぼ完全に透過性を示し、第２温度範囲内においてはほぼ完全に拡散性を示す方法。
（１５）  （１１）項に記載の方法であって、
前記少なくとも部分的に拡散性を有する拡散フィルタは、拡散特性が選択的である選択的拡散フィルタを含み、
それにより、所定の極性または波長を有する光が、前記透過性表面、前記半透過性表面または前記部分反射性表面から拡散光として反射する一方、他の極性または波長を有する光が、前記選択的拡散フィルタを実質的な平行光または非拡散光として透過する方法。
（１６）  （１１）項に記載の方法であって、
前記少なくとも部分的に拡散性を有する拡散フィルタは、拡散特性が非対称的である非対称拡散フィルタを含み、
それにより、第１方向または第１方向範囲から入射する光が、第２方向または第２方向範囲から入射する光より強く拡散させられ、
前記第１方向または第１方向範囲からの視界(view)が、前記第２方向または第２方向範囲からの視界(view)より実質的に不鮮明である方法。
（１７）  （１６）項に記載の方法であって、
前記非対称拡散フィルタは、不規則的に構成されたメタ材料を組み込んでいる方法。
（１８）  （１１）項に記載の方法であって、
前記透過性表面、前記半透過性表面または前記部分反射性表面のうちのいずれかは、窓ユニットを含み、
それにより、外部観察者によって観察される反射光は、実質的な拡散光であるが、内部観察者によって観察される透過光は、実質的な平行光または非拡散光であり、それにより、内部のプライバシ（遮蔽性）を向上させる方法。
（１９）  入射光の反射光からのグレアを軽減する省エネルギー型デバイスであって、
第１の反射型ポラライザと、
第２の反射型ポラライザと、
前記第１の反射型ポラライザと前記第２の反射型ポラライザとの間に配置され、入射光の偏光を変化させるデポラライザと、
前記第２の反射型ポラライザに装着された透過性基板と、
前記第１の反射型ポラライザに装着された、少なくとも部分的に拡散性を有する拡散フィルタと
を含む省エネルギー型デバイス。
（２０）  （１９）項に記載の省エネルギー型デバイスであって、
前記デポラライザは、温度によって色が変化するサーモクロミック(thermochoromic)・デポラライザである省エネルギー型デバイス。
（２１）  （１９）項に記載の省エネルギー型デバイスであって、
前記デポラライザは、電気によって色が変化するエレクトロクロミック(electroochoromic)・デポラライザである省エネルギー型デバイス。
（２２）  （１９）項に記載の省エネルギー型デバイスであって、
前記少なくとも部分的に拡散性を有する拡散フィルタは、拡散特性が可変である可変拡散フィルタであり、その可変拡散フィルタは、少なくとも一つの外部条件によって制御可能な光分散化能力を有するものである省エネルギー型デバイス。
（２３）  （２２）項に記載の省エネルギー型デバイスであって、
前記少なくとも一つの外部条件は、温度および／または印加された電界を含む省エネルギー型デバイス。
（２４）  （２２）項に記載の省エネルギー型デバイスであって、
前記可変拡散フィルタは、温度によって拡散特性が変化するサーモデフューシブ・フィルタを含み、そのサーモデフューシブ・フィルタは、第１温度範囲内においてはほぼ完全に透過性を示し、第２温度範囲内においてはほぼ完全に拡散性を示す省エネルギー型デバイス。
（２５）  （２４）項に記載の省エネルギー型デバイスであって、
前記サーモデフューシブ・フィルタは、
第１の透過性材料と、
第２の透過性材料より成る複数のビーズまたはバブルと
を含み、
第１の温度範囲内においては、前記第１の透過性材料の屈折率が、前記第２の透過性材料の屈折率と実質的に同一であり、
第２の温度範囲内においては、前記第１の透過性材料の屈折率と前記第２の透過性材料の屈折率とのうちの少なくとも一方が、前記第１の透過性材料の屈折率と前記第２の透過性材料の屈折率とが実質的に互いに不一致となるように、変化する省エネルギー型デバイス。
（２６）  （２５）項に記載の省エネルギー型デバイスであって、
前記第１の透過性材料および前記第２の透過性材料は、前記サーモデフューシブ・フィルタがサーモクロミック(thermochoromic)拡散型ブラッグ・リフレクタとして機能するように選択される省エネルギー型デバイス。
（２７）  （１９）項に記載の省エネルギー型デバイスであって、
前記少なくとも部分的に拡散性を有する拡散フィルタは、拡散特性が選択的である選択的拡散フィルタであり、その選択的拡散フィルタは、所定の極性または所定の波長を有する光のみを拡散させる省エネルギー型デバイス。
（２８）  （１９）項に記載の省エネルギー型デバイスであって、
前記少なくとも部分的に拡散性を有する拡散フィルタは、拡散特性が非対称的である非対称拡散フィルタであり、その非対称拡散フィルタは、当該デバイスを第１方向に透過する光を、当該デバイスを第２方向に透過する光より強く拡散させる省エネルギー型デバイス。
（２９）  入射光の反射光からのグレアを軽減する省エネルギー型デバイスであって、
第１の拡散反射型ポラライザと、
第２の拡散反射型ポラライザと、
前記第１の拡散反射型ポラライザと前記第２の拡散反射型ポラライザとの間に配置され、入射光の偏光を変化させるデポラライザと、
前記第２の拡散反射型ポラライザに装着された透過性基板と
を含む省エネルギー型デバイス。
（３０）  （２９）項に記載の省エネルギー型デバイスであって、
前記第１の拡散反射型ポラライザおよび前記第２の拡散反射型ポラライザの各々は、コレステリック(cholesteric)液晶型円偏光ポラライザを含む省エネルギー型デバイス。
（３１）  （２９）項に記載の省エネルギー型デバイスであって、
前記第１の拡散反射型ポラライザおよび前記第２の拡散反射型ポラライザの各々は、再帰反射型ポラライザを含む省エネルギー型デバイス。
（３２）  （２９）項に記載の省エネルギー型デバイスであって、
前記第１の拡散反射型ポラライザと前記第２の拡散反射型ポラライザとのうちの少なくとも一方は、カイラル(chiral)・ワイヤ・グリッド・ポラライザを含む省エネルギー型デバイス。
（３３）  拡散型ポラライジング・フィルタであって、
等間隔(regular spacing)で互いに平行に並んだ複数の凹凸表面(irregular surfaces)を有する複数本のワイヤから成るグリッドを含み、
前記凹凸表面の表面凹凸高さ(surface irregularities)は、当該拡散型ポラライジング・フィルタへの入射光の波長より大きく、
それにより、前記入射光に対する、当該拡散型ポラライジング・フィルタから反射光であって第１の極性を有するものは拡散光である一方、前記入射光に対する、当該拡散型ポラライザから透過光であって第２の極性を有するものは平行光である拡散型ポラライジング・フィルタ。
（３４）  （３３）項に記載の拡散型ポラライジング・フィルタであって、
前記グリッドにおける前記複数本のワイヤの各々は、微視的な複数のギャップを形成するように、分断されている拡散型ポラライジング・フィルタ。
（３５）  拡散型ポラライジング・フィルタであって、
非平面基板と、
その非平面基板上に配置された、複数本のワイヤから成るグリッドと
を含み、
入射光に対する、当該拡散型ポラライジング・フィルタからの反射光は、前記入射光の入射角と、前記入射角の出射角との間における相互依存性を示し、その相互依存性は、前記非平面基板上に前記入射光が入射する点の位置(contact location)に応じて変化する拡散型ポラライジング・フィルタ。
（３６）  （３５）項に記載の拡散型ポラライジング・フィルタであって、
前記非平面基板の表面高さの変動は、少なくとも１本の対称軸に沿って規則的である拡散型ポラライジング・フィルタ。
（３７）  （３５）項に記載の拡散型ポラライジング・フィルタであって、
前記非平面基板の表面高さの変動は、少なくとも１本の対称軸に沿って不規則的である拡散型ポラライジング・フィルタ。
（３８）  （３５）項に記載の拡散型ポラライジング・フィルタであって、
前記グリッドにおける前記複数本のワイヤは、等間隔で互いに平行に並んでいる拡散型ポラライジング・フィルタ。
（３９）  （３５）項に記載の拡散型ポラライジング・フィルタであって、
前記複数本のワイヤは、カイラル(chiral)構造を形成する拡散型ポラライジング・フィルタ。
（４０）  （３５）項に記載の拡散型ポラライジング・フィルタであって、
前記グリッドにおける前記複数本のワイヤの各々は、微視的な複数のギャップを形成するように、分断されている拡散型ポラライジング・フィルタ。
（４１）  グレア軽減型ポラライジング・フィルタであって、
複数本のメタ材料製ワイヤから成るグリッドを含み、
前記複数本のメタ材料製ワイヤは、カイラル(chiral)構造を形成し、
前記グリッドは、第１方向に透過する光に対し、前記第１方向とは反対向きの第２方向に透過する光に対してより強い拡散性を有し、
前記グリッドは、平行光を前記第２方向に透過させるグレア軽減型ポラライジング・フィルタ。
（４２）  （４１）項に記載のグレア軽減型ポラライジング・フィルタであって、
前記グリッドは、前記複数本のワイヤが不規則に配列されたものとして形成されているグレア軽減型ポラライジング・フィルタ。
（４３）  （４１）項に記載のグレア軽減型ポラライジング・フィルタであって、さらに、
温度によって入射光の偏光を変化させるサーモトロピック(thermochoromic)・デポラライザ・フィルムであって、前記複数本のメタ材料製ワイヤから成る前記グリッドを支持するものと、
そのサーモトロピック(thermochoromic)・デポラライザ・フィルムの、前記グリッドを支持する側とは別の側に支持された鏡面反射器と
を含むグレア軽減型ポラライジング・フィルタ。
（４４）  液晶によって構成されるとともに、温度によって光学特性が変化するサーモトロピック(thermotropic)、温度によって色が変化するサーモクロミック(thermochoromic)または温度によって反射特性が変化するサーモリフレクティブであるフィルタまたはデバイスが低グレアでの用途に適合する度合いを向上させる方法であって、
所定の気候に適合する凝固点およびクリアリング・ポイントを有する複数の液晶の混合物であるかまたはそれら液晶を含む混合物を選択する混合物選択工程と、
前記複数の液晶の、複数の物理的状態間における転移の性質を変化させる添加剤を選択する添加剤選択工程と、
前記フィルタまたはデバイスによる光またはエネルギーの透過、吸収および／または反射の光学的特性を調整または選択するために前記混合物と前記添加剤とを混合させる混合工程と
を含む方法。
（４５）  （４４）項に記載の方法であって、
前記混合物選択工程および／または前記添加剤選択工程は、環境条件に対する前記フィルタまたはデバイスの機能の応答特性の安定度を向上させるように実施される方法。
（４６）  （４４）項に記載の方法であって、
前記添加剤は、カイラル(chiral)液晶を含む方法。
（４７）  （４４）項に記載の方法であって、
前記添加剤は、自己組織化材料を含み、その自己組織化材料は、温度しきい値より高温であるときに、整列された配向を想定され、前記温度しきい値より低温であるときに、整列されない配向を想定される方法。
（４８）  （４７）項に記載の方法であって、
前記自己組織化材料は、反射性染料と、反射性繊維と、屈折性繊維と、ワイヤ・セグメントと、マクロ分子と、微視的シート片とのうちの少なくとも一つを含む方法。
（４９）  （４４）項に記載の方法であって、
前記添加剤は、前記混合物内において懸濁している方法。
（５０）  （４４）項に記載の方法であって、
前記添加剤は、前記混合物内において溶解している方法。
（５１）  （４４）項に記載の方法であって、
前記添加剤は、温度しきい値より高温であるときに、前記混合物内において浮遊しており、
前記浮遊している添加剤は、前記温度しきい値より低温であるときに、前記混合物の上面に浮上しているかまたは前記混合物の底部に沈下している方法。
（５２）  （４４）項に記載の方法であって、
前記添加剤は、温度しきい値より高温であるときに、前記混合物内において浮遊している浮遊体に付着しており、
前記浮遊体は、前記温度しきい値より低温であるときに、前記混合物の上面に浮上しているかまたは前記混合物の底部に沈下している方法。
（５３）  サーモトロピック(thermochoromic)分布ブラッグ・リフレクタ・デバイスであって、
透過性または半透過性を有するとともに、第１屈折率を有する第１材料から成る２以上の第１材料層と、
温度によって光学特性が変化するサーモトロピック(thermochoromic)であり、かつ、透過性または半透過性を有するとともに、可変である第２屈折率を有する第２材料から成る２以上の第２材料層と
を含み、
前記２以上の第２材料層の各々は、前記２以上の第１材料層の各々と交互に配置されており、
温度しきい値より低温であるときに、前記第１屈折率は、前記第２屈折率と実質的に同一であり、
前記温度しきい値より高温であるときに、前記第２屈折率は、前記第１屈折率とは実質的に異なるように変化するサーモトロピック分布ブラッグ・リフレクタ・デバイス。  
（５４）  （５３）項に記載のサーモトロピック分布ブラッグ・リフレクタ・デバイスであって、
前記第２材料は、前記温度しきい値より高温であるときに、物理的に伸張し、それにより、前記第２屈折率を変化させるサーモトロピック分布ブラッグ・リフレクタ・デバイス。
（５５）  （５３）項に記載のサーモトロピック分布ブラッグ・リフレクタ・デバイスであって、
前記第２材料は、さらに、温度によって色が変化するサーモクロミック材料または偏光サーモクロミック材料であるサーモトロピック分布ブラッグ・リフレクタ・デバイス。
（５６）  （５５）項に記載のサーモトロピック分布ブラッグ・リフレクタ・デバイスであって、
前記第１材料および前記第２材料は、当該デバイスが赤外波長について実質的に反射性を有するように選択されるサーモトロピック分布ブラッグ・リフレクタ・デバイス。
（５７）  （５５）項に記載のサーモトロピック分布ブラッグ・リフレクタ・デバイスであって、
前記第２材料は、ポリマ分散型液晶と、ポリマ安定化液晶と、コレステリック液晶と、ダイクロイック液晶と、ゲスト・ホスト(Guest-Host)液晶と、ハイルマイヤ(Heilmeier)・ディスプレイと、反射性サーモクロミック（温度によって色が変化する）液晶とのうちの少なくとも一つを含み、
当該デバイスは、鏡面反射と拡散とのうちの少なくとも一方を行うサーモトロピック分布ブラッグ・リフレクタ・デバイス。
（５８）  第１方向においては、温度によって反射特性が変化するサーモリフレクティブ効果を実現し、第２方向においては、温度によって吸収特性が変化するサーモアブソープティブ効果を実現する方法であって、
吸収型ポラライザ・フィルムの層と、反射型ポラライザ・フィルムの層とを交互に配置する配置工程と、
温度によって入射光の偏光を変化させるサーモトロピック・デポラライザを、前記吸収型ポラライザ・フィルムの層と前記反射型ポラライザ・フィルムの層とから成る第１セットと、前記吸収型ポラライザ・フィルムの層と前記反射型ポラライザ・フィルムの層とから成る第２セットとの間に挿入する挿入工程と
を含む方法。
本発明の他の特徴、詳細、実用性および効果は、本発明の種々の実施形態についての、後述の、より具体的な文章による説明から明らかとなり、それら実施形態は、さらに、添付した図面において図示されるとともに後続するクレームにおいて定義されている。